(57)【要約】【課題】キャッチ部に引っ掛かった毛髪を指で摘まんで引き剥がして捨てる作業を繰り返す必要がなく、除去作業が容易なヘアキャッチャーを提供する。【解決手段】浴室の洗い場の床面の排水口に配設するヘアキャッチャーである。略環状をした基台部２１から上方に向けて先端が自由端となって開放されるキャッチ棒２２を突設した第一のキャッチ部材２と、基台部３１から下方に向けて先端が自由端となって開放されるキャッチ棒３２を突設した第二のキャッチ部材３とからなり、前記第一のキャッチ部材２と第二のキャッチ部材３とを上下に組み合わせてキャッチ棒２２、３２を並設してなるキャッチ部４を構成する。【選択図】        図１
2009052341.tif 000002
【特許請求の範囲】
【請求項１】
浴室の洗い場の床面の排水口に配設するヘアキャッチャーであって、基台部から上方に向けて先端が自由端となって開放されるキャッチ棒を突設した第一のキャッチ部材と、基台部から下方に向けて先端が自由端となって開放されるキャッチ棒を突設した第二のキャッチ部材とからなり、前記第一のキャッチ部材と第二のキャッチ部材とを上下に組み合わせてキャッチ棒を並設してなるキャッチ部を構成することを特徴とするヘアキャッチャー。
【請求項２】
各キャッチ部材において、板状をした基台部から突設するキャッチ棒を該基台部の板面に垂直な方向から傾斜した角度で交差しないように突設し、第一のキャッチ部材と第二のキャッチ部材とを組み合わせた時に第一のキャッチ部材のキャッチ棒と第二のキャッチ部材のキャッチ棒とが交差することを特徴とする請求項１記載のヘアキャッチャー。
【発明の詳細な説明】
【技術分野】
【０００１】
本発明は、主に浴室の排水口に設けられるヘアキャッチャーに関するものである。
【背景技術】
【０００２】
従来から、排水口、特に浴室の排水口にヘアキャッチャーが設けられている（例えば特許文献１参照）。
【０００３】
特許文献１に示されるヘアキャッチャーは、キャッチ部を備えたもので、排水口に配設してキャッチ部に毛髪を引っ掛けて濾し取ることで毛髪を除去している。
【０００４】
しかしながら、このヘアキャッチャーにおいては、キャッチ部に引っ掛かった毛髪を除去するには、キャッチ部に引っ掛かった毛髪をそれぞれ指で摘まんで引き剥がして除去するものであり、毛髪をそれぞれ指で摘まんで引き剥がして捨てる作業を繰り返す必要があり、この除去作業が煩雑なものであった。
【特許文献１】特開平９−１１９１５３号公報
【発明の開示】
【発明が解決しようとする課題】
【０００５】
本発明は上記従来の問題点に鑑みて発明したものであって、その目的とするところは、キャッチ部に引っ掛かった毛髪を指で摘まんで引き剥がして捨てる作業を繰り返す必要がなく、除去作業が容易なヘアキャッチャーを提供することを課題とするものである。
【課題を解決するための手段】
【０００６】
上記課題を解決するために請求項１に係る発明にあっては、浴室の洗い場の床面の排水口に配設するヘアキャッチャーであって、基台部２１から上方に向けて先端が自由端となって開放されるキャッチ棒２２を突設した第一のキャッチ部材２と、基台部３１から下方に向けて先端が自由端となって開放されるキャッチ棒３２を突設した第二のキャッチ部材３とからなり、前記第一のキャッチ部材２と第二のキャッチ部材３とを上下に組み合わせてキャッチ棒２２、３２を並設してなるキャッチ部４を構成することを特徴とするものである。
【０００７】
このような構成によれば、第一及び第二のキャッチ部材２、３を組み合わせた場合には網目状のキャッチ部４を構成することができると共に、キャッチ部４をキャッチ棒２２、３２に別々に分離することで縦棒２２、横棒３２の先端が開放されて、キャッチ棒２２、３２に沿って指を移動させて先端から毛髪を引き抜くという簡単な動作で毛髪を除去することが可能となって、除去作業が容易となるものである。
【０００８】
また、請求項２に係る発明は、請求項１に係る発明において、各キャッチ部材２、３において、板状をした基台部２１、３１から突設するキャッチ棒２２、３２を該基台部２１、３１の板面に垂直な方向から傾斜した角度で交差しないように突設し、第一のキャッチ部材２と第二のキャッチ部材３とを組み合わせた時に第一のキャッチ部材２のキャッチ棒２２と第二のキャッチ部材３のキャッチ棒３２とが交差することを特徴とするものである。
【０００９】
このような構成とすることで、キャッチ部４の目（閉鎖孔）を小さく且つ多数形成することができ、毛髪を濾し取る能力が向上するものでありながら、一本のキャッチ棒２２、３２に沿って指を移動させて毛髪を除去することができて、除去作業がし難くなることもないものである。
【発明の効果】
【００１０】
本発明にあっては、第一及び第二のキャッチ部材を組み合わせた場合には網目状のキャッチ部を構成することができると共に、キャッチ部を各キャッチ棒に別々に分離することで縦棒、横棒の先端が開放されて、引っ掛かっている毛髪を各棒に沿って指を移動させて先端から毛髪を引き抜くように除去することが可能となって、キャッチ部の引っ掛かった毛髪をそれぞれ指で摘まんで引き剥がして除去する作業を繰り返す必要がなく、除去作業が容易となるものである。
【発明を実施するための最良の形態】
【００１１】
以下、本発明の一実施形態について図１及び図２に基づいて説明する。
【００１２】
ヘアキャッチャー１は、浴室の洗い場の床面に形成される排水口に設けられる浴室用のものとして説明するが、特に限定はされないものである。
【００１３】
排水口は本実施形態では図示はしないが平面視略円形状をしているものとする。この排水口には、上面でヘアキャッチャー１の周縁部を支持する支持部（図示せず）が設けてある。支持部は、排水口の上端部の周縁に上方及び排水口内方に開口する凹所を形成してその上面として設けたり、あるいは排水口の内壁面から内方に突設してその上面として設けてもよく、特に限定されない。前記支持部の上面にはヘアキャッチャー１が載置されて支持される。
【００１４】
ヘアキャッチャー１は、基台部２１（本実施形態では平面視略円環形の板状をした基台部）及びこの基台部２１から突設されるキャッチ棒２２を備えた第一のキャッチ部材２と、基台部３１（本実施形態では平面視略円環形の板状をした基台部）及びこの基台部３１から突設されるキャッチ棒２２を備えた第二のキャッチ部材３とで構成される。
【００１５】
第一のキャッチ部材２の基台部２１は、排水口に合うように任意の形状とすることができ、本実施形態では平面視略円形状をした排水口に合わせて平面視略円形状の外郭形状にしてある。そして、基台部２１の上面からはキャッチ棒２２が突設してある。
【００１６】
キャッチ棒２２は、基台部２１の上面から上方に向けて突設する棒状をしたもので、基台部２１の周方向に略円状に複数配置してある。
【００１７】
第二のキャッチ部材３は、上記第一のキャッチ部材２の上下を逆にした形状をしており、第一のキャッチ部材２の基台部２１と同様の平面視略円環形をした基台部３１の下面から下方に向けてキャッチ棒３２が突設してあり、本実施形態では基台部２１の周方向に略円状に複数配置してある。
【００１８】
第一のキャッチ部材２のキャッチ棒２２の先端（上端）と、第二のキャッチ部材３のキャッチ棒３２の先端（下端）は、自由端となって開放されている。
【００１９】
また、平面視略円環状をした基台部３１内の開口３０は、後述するように第一のキャッチ部材２と組み合わされて排水口に配設した際、キャッチ棒２２、３２からなるキャッチ部４よりも高い位置に配置され、オーバーフロー口として機能するものである。
【００２０】
このヘアキャッチャー１は、第一のキャッチ部材２と第二のキャッチ部材３とを組み合わせて使用するものである。すなわち、第一のキャッチ部材２の基台部２１を下側としてキャッチ棒２２を上方に突出する状態とし、第二のキャッチ部材３の基台部３１を上側としてキャッチ棒３２を下方に突出する状態とし、第一のキャッチ部材２のキャッチ棒２２と第二のキャッチ部材３のキャッチ棒３２とが交互に位置するように組み合わせて、キャッチ棒２２及びキャッチ棒３２からなるキャッチ部４を構成して使用するものである。すなわち、各キャッチ棒２２、３２にはキャッチ棒３２、２２が隣接して配置され、キャッチ棒２２、３２間のスリットは、キャッチ棒２２、３２と基台部２１、３１とで囲まれる閉鎖孔となり、この閉鎖孔を排水される湯水が流れる際に、閉鎖孔を囲むキャッチ棒２２、３２に毛髪を引っ掛けて濾し取るものである。
【００２１】
また、第一のキャッチ部材２と第二のキャッチ部材３との固定は、第二のキャッチ部材３の基台部３１に第一のキャッチ部材２のキャッチ棒２２の先端部が嵌入される孔や凹所（図示せず）を形成すると共に第一のキャッチ部材２の基台部２１に第二のキャッチ部材３のキャッチ棒３２の先端部が嵌入される孔や凹所（図示せず）を形成して、前記孔や凹所にキャッチ棒２２、３２を嵌入して固定したり、あるいは他の固定手段により固定してもよく、特に限定されない。このように第一のキャッチ部材２と第二のキャッチ部材３とを組み合わせたヘアキャッチャー１を排水口に配設する。
【００２２】
そして、ヘアキャッチャー１として使用した後、ヘアキャッチャー１を排水口より取り出し、第一のキャッチ部材２と第二のキャッチ部材３とを摘まんで引き離して外す。これによりキャッチ部４がキャッチ棒２２、３２に分離され、キャッチ棒２２、３２に引っ掛かっている毛髪をそれぞれ別々に除去していく。キャッチ棒２２、３２に引っ掛かっている毛髪は、指で摘まんで基台部２１、３１側から先端側に向けて移動させて先端から引き抜くことで除去できる。キャッチ部４に引っ掛かった毛髪をそのまま除去する場合には、毛髪を指で摘まんで引き剥がす作業を繰り返す必要があるが、上記本発明によれば、キャッチ部４をキャッチ棒２２、３２にそれぞれ分離することで、キャッチ棒２２、３２に沿って指を移動させて先端から引き抜くことで、キャッチ棒２２、３２に沿って指を移動させるという簡単な動作でそのキャッチ棒２２、３２の毛髪を全てまとめて除去することができて、除去作業がし易いものであり、キャッチ棒２２、３２の先端が自由端状となって開放されているため、キャッチ棒２２、３２に引っ掛かっている毛髪を指で摘まんで先端側に移動させて全ての毛髪を掻き集めた後、先端から引き抜くことで容易に除去できて、毛髪を指で摘まんで引き剥がす作業を繰り返す必要がなくなって、除去作業が一層容易となるものである。
【００２３】
次に、他の実施形態について図３及び図４に基づいて説明する。上実施形態と同じ部分については説明を省略し、主に異なる部分について説明する。
【００２４】
上実施形態では、第一のキャッチ部材２及び第二のキャッチ部材３の基台部２１、３１から突設されるキャッチ棒２２、３２が、基台部２１、３１の板面に対して略垂直に突設されているのに対して、本実施形態では、キャッチ棒２２、３２が基台部２１、３１の板面に垂直な方向から傾斜した角度をなして突設されている。第一のキャッチ部材２の基台部２１から突設されるキャッチ棒２２、第二のキャッチ部材３の基台部３１から突設されるキャッチ棒３２はそれぞれ略平行となって、交差していない。
【００２５】
このヘアキャッチャー１は、第一のキャッチ部材２と第二のキャッチ部材３とを組み合わせた際、キャッチ棒２２、３２からなる網目状のキャッチ部４を構成するものである。すなわち、第一のキャッチ部材２のキャッチ棒２２は、第二のキャッチ部材３のキャッチ棒３２と交差して、キャッチ棒２２、３２で囲まれる閉鎖孔やキャッチ棒２２、３２及び基台部２１、３１で囲まれる閉鎖孔が形成され、この閉鎖孔を排水される湯水が流れる際に、閉鎖孔を囲むキャッチ棒２２、３２に毛髪を引っ掛けて濾し取るものである。
【００２６】
なお、第一のキャッチ部材２と第二のキャッチ部材３とを組み合わせた際、第一のキャッチ部材２のキャッチ棒２２が第二のキャッチ部材３のキャッチ棒３２の外側に被さる状態となるか、あるいは内側に入り込む状態となるか、あるいは交互に内外が入れ替わる等、特に限定されない。
【００２７】
本実施形態においても、上実施形態と同様に、キャッチ部４をキャッチ棒２２、３２にそれぞれ分離することで、キャッチ棒２２、３２に沿って指を移動させて先端から引き抜くことで、キャッチ棒２２、３２に沿って指を移動させるという簡単な動作でそのキャッチ棒２２、３２の毛髪を全てまとめて除去することができて、除去作業がし易いものであり、キャッチ棒２２、３２の先端が自由端状となって開放されているため、キャッチ棒２２、３２に引っ掛かっている毛髪を指で摘まんで先端側に移動させて全ての毛髪を掻き集めた後、先端から引き抜くことで容易に除去できて、毛髪を指で摘まんで引き剥がす作業を繰り返す必要がなくなって、除去作業が一層容易となるものである。また、本実施形態では、上実施形態のキャッチ部４の閉鎖孔よりも目の細かい閉鎖孔を多数形成することができ、毛髪を濾し取る能力が向上するものであり、また、濾し取った毛髪を除去する際、各キャッチ部材２、３のキャッチ棒２２、３２はそれぞれ略平行となって交差していないため、一本のキャッチ棒２２、３２に沿って指を移動させて毛髪を除去することができ、上実施形態と比べて除去作業がし難くなることはない。
【図面の簡単な説明】
【００２８】
【図１】本発明のヘキャッチャーの一実施形態の斜視図である。
【図２】（ａ）は同上におけるキャッチ部材の斜視図であり、（ｂ）は同上における毛髪除去部材の斜視図である。
【図３】本発明のヘキャッチャーの他の実施形態の斜視図である。
【図４】（ａ）は同上におけるキャッチ部材の斜視図であり、（ｂ）は同上における毛髪除去部材の斜視図である。
【符号の説明】
【００２９】
１    ヘアキャッチャー
２    第一のキャッチ部材
２１  基台部
２２  キャッチ棒
３    第二のキャッチ部材
３０  開口
３１  基台部
３２  キャッチ棒
４    キャッチ部
【図１】
2009052341.tif 000003
【図２】
2009052341.tif 000004
【図３】
2009052341.tif 000005
【図４】
2009052341.tif 000006